(57)【要約】【課題】、効率的な炭酸ガス改質反応を導くにあたり、カーボンや非燃焼成分などの堆積がなく、冶金炉の操業変動に対する応答性がよく、排ガスの増熱や炭酸ガスの排出削減に有効な冶金炉発生排ガスの改質方法とそのための改質装置を提案することにある。【解決手段】冶金炉の煙道を通じて排出される高温の排ガスに対し還元剤を添加することにより、その排ガス中に含まれる炭酸ガスと該還元剤とによる改質反応を導いて排ガスの改質を行うにあたり、その改質反応を、前記煙道の内壁面に被覆した金属ニッケルの介在下に行わせる冶金炉発生排ガスの改質方法。【選択図】図１
2010144188.tif 000002
【特許請求の範囲】
【請求項１】
冶金炉の煙道を通じて排出される高温の排ガスに対し還元剤を添加することにより、その排ガス中に含まれる炭酸ガスと該還元剤とによる改質反応を導いて排ガスの改質を行うにあたり、その改質反応を、前記煙道の内壁面に被覆した金属ニッケルの介在下で行わせることを特徴とする冶金炉発生排ガスの改質方法。
【請求項２】
前記還元剤が、天然ガス、液化石油ガス、メタン、エタン、軽質ナフサ、ラフィネート、メタノール、エタノール、ジメチルエーテルおよびジエチルエーテルのうちから選ばれる物質の１種以上であることを特徴とする請求項１に記載の冶金炉発生排ガスの改質方法。
【請求項３】
前記還元剤は、非化石資源系有機化合物であることを特徴とする請求項１または２に記載の冶金炉発生排ガスの改質方法。
【請求項４】
冶金炉の煙道に、その内壁面に金属ニッケルの被覆層を設け、その煙道中および／または該煙道の上流の位置に還元剤吹込み装置を設けてなる冶金炉発生排ガスの改質装置。
【請求項５】
前記還元剤吹込み装置は、転炉の上吹きランス部、もしくは転炉の排ガス回収設備におけるスカートから輻射部の１次集塵機の上流側までの間の、１〜複数個所に設置されたものであることを特徴とする請求項４に記載の冶金炉発生排ガスの改質装置。
【発明の詳細な説明】
【技術分野】
【０００１】
本発明は、製鉄設備、特に、転炉や溶融還元炉のような冶金炉から発生する高温炭酸ガス含有排ガスの改質を行って熱エネルギーを有効に回収する方法およびこの方法の実施に用いる冶金炉発生排ガスの改質装置に関する。特に、本発明では、高温排ガスの顕熱を有効に利用することにより、外部から供給する還元剤と排ガス中の炭酸ガスとの効率の良い改質反応を導いて、該排ガスの熱エネルギーを増大させると共に実質的な炭酸ガス排出量の削減に有効な技術を提案する。
【背景技術】
【０００２】
近年、地球環境を保護し地球温暖化を防止するために、炭酸ガスの排出削減が重要な課題となっている。特に、製鉄所において、炭酸ガスの排出削減は、企業の存続にも関わる大きな課題となっている。従来、その課題解決のための各種の提案がされてきたが、本格的で真に有効な炭酸ガス削減技術は、未だ完成の域に達していないのが実情である。
【０００３】
製鉄所では、一般に、転炉や溶融還元炉などからは、炭酸ガスを多量に含む高温の排ガスが発生する。これらの排ガスは、炭酸ガスの他に一酸化炭素や水素などを含むため、製鉄所内の各種設備を稼動させるエネルギー源としても利用されている。また、こうした高温の排ガスの顕熱を利用するという観点からは、ボイラーに供給して低圧のスチームを発生させることで、廃熱の回収を行うことが一般的である。しかしながら、製鉄所での低圧スチームの利用価値は低く、むしろ高温の排出ガスを化学的に利用できるようにすることが望まれている。
【０００４】
ところで、メタンなどの各種炭化水素やメタノール、ジメチルエーテルなどの含酸素化合物等は、炭酸ガスや水蒸気と反応して一酸化炭素や水素に改質されることが知られている。この反応を利用した廃熱回収技術として、下記の特許文献１には、転炉等の精錬設備から発生する、二酸化炭素および／または水蒸気を含む高温の排ガス中に、炭化水素を含む気体および／または液体を供給して改質反応を起こさせ、該排ガス中の一酸化炭素と水素を増加させることにより、排ガスの潜熱を増大させる「増熱」を図る方法が開示されている。
【０００５】
この文献１に開示の方法では、転炉排ガス中に天然ガスを吹込んで、下記（１）式の改質反応を行わせる際に、この反応が完了していると考えられる位置の温度を３７５℃程度まで低下させている。しかしながら、熱によって進行する気相反応系では主反応、副反応という区別がなく、とくに改質反応の完了温度が８００℃よりも低くなるとカーボンの生成が顕著となり、排ガス回収設備内にカーボンやダストの堆積を招くという問題がある。
【０００６】
ＣＨ４＋ＣＯ２→２ＣＯ＋２Ｈ２              （１）
【０００７】
また、下記の特許文献２には、転炉から排出されるガスの温度が６００℃以上となる位置に石炭を供給し、排ガスと石炭とを対向接触させることによって、下記（２）式の改質反応を行わせて一酸化炭素を生成させ、排ガスの増熱を図る方法が開示されている。
【０００８】
ＣＯ２＋Ｃ→２ＣＯ                      （２）
【０００９】
この文献２に開示の方法では、安価な石炭を用いて改質反応を行わせる点において優れているが、石炭に含まれる非燃焼成分（ＳｉＯ２、Ａｌ２Ｏ３等）が煙道内に堆積したり、転炉内に落下してスラグ量の増大を招くという問題がある。
【００１０】
また、特許文献３には、転炉から発生する排ガスの温度が１３００℃以上である位置にメタンおよび水蒸気を添加して下記（３）式の水性ガス反応を行なわせ、排出ガス中の一酸化炭素と水素の増量を図る方法およびその装置が開示されている。
【００１１】
ＣＨ４＋Ｈ２Ｏ→ＣＯ＋３Ｈ２              （３）
【００１２】
この文献３に開示されている方法では、水蒸気の添加によってＣＯとＨ２の発生だけが起こる反応であり、二酸化炭素が絡む改質反応が起らないため、ＣＯ２の削減に何ら寄与しないという問題がある。
【特許文献１】特開２０００−２１２６１５号公報
【特許文献２】特開平５−１１７６６８号公報
【特許文献３】特開平２−１１７１５号公報
【発明の開示】
【発明が解決しようとする課題】
【００１３】
上述したように、転炉や溶融還元炉などの冶金炉から発生する、炭酸ガス含有排出ガスの顕熱を利用して、排ガスの潜熱分を増大（（１）式の吸熱分を反応生成物の燃焼熱の形で蓄積する）させる、所謂、増熱を図る従来技術では、カーボンの堆積や炭酸ガスの反応効率低下を招いたり、ＳｉＯ２やＡｌ２Ｏ３等の非燃焼成分の堆積を招いたり、あるいは、炭酸ガスが反応に関与しないため、排ガスの増熱および炭酸ガスの排出削減に効果がないという課題があった。
【００１４】
また、発生排ガスの温度は、一般に、冶金炉の操業状況により大きく変動し、短時間でこの変動を反映させるようなシステムを構築するのは困難である。とりわけ、該排ガスの温度が低下した時は、メタンと炭酸ガスの反応が遅れるだけでなく、残留しているメタンからカーボンを生成する反応の方が優勢となり、ダストの増加を招くと共に、オフガスの顕熱を化学エネルギーとして回収することができなくなるという問題もある。
【００１５】
本発明の目的は、効率的な炭酸ガス改質反応を導くにあたり、カーボンや非燃焼成分などの堆積がなく、冶金炉の操業変動に対する応答性がよく、排ガスの増熱や炭酸ガスの排出削減にも有効な冶金炉発生排ガスの改質方法と、そのための改質装置を提案することにある。
【課題を解決するための手段】
【００１６】
従来技術が抱えている上述した課題を克服し、高温排ガスの効率的な増熱と炭酸ガスの排出量削減とを同時に達成することができ、かつ冶金炉の操業変動にもよく追随していけるようにするために、本発明では、冶金炉の煙道を通じて排出される高温の排ガスに対し還元剤を添加することにより、その排ガス中に含まれる炭酸ガスと該還元剤とによる改質反応を導いて排ガスの改質を行うにあたり、その改質反応を、前記煙道の内壁面に被覆した金属ニッケルの介在下で行わせることを特徴とする冶金炉発生排ガスの改質方法を提案する。
【００１７】
なお、本発明の前記改質方法においては、
（１）前記還元剤としては、天然ガス、液化石油ガス、メタン、エタン、軽質ナフサ、ラフィネート、メタノール、エタノール、ジメチルエーテルおよびジエチルエーテルのうちから選ばれる物質の１種以上の化石資源系化合物を用いること、
（２）前記還元剤としては、非化石資源系有機化合物を用いること、
がより好適な解決手段を提供することができる。
【００１８】
また、本発明は、冶金炉の煙道に、その内壁面に金属ニッケルの被覆層を設け、その煙道中および／または該煙道の上流の位置に還元剤吹込み装置を設けてなる冶金炉発生排ガスの改質装置である。
【００１９】
なお、本発明の前記改質装置においては、前記還元剤吹込み装置として、転炉の上吹きランス部、もしくは転炉の排ガス回収設備におけるスカートから輻射部の１次集塵機の上流側までの間の、１〜複数個所に設置することがより好適な解決手段を提供することができる。
【発明の効果】
【００２０】
（１）本発明によれば、転炉等の冶金炉から排出される高温の排ガスの顕熱を有効に利用することができると同時に、還元剤の添加によって炭酸ガス改質反応を導く際に還元剤の添加位置や反応系に金属ニッケルを触媒として介在させるという制御を行うことによって、カーボンや非燃焼成分の発生、堆積がなく、排ガスの増熱と炭酸ガスの排出削減を効果的に達成することができる。
（２）そして、本発明によれば、煙道中に単に金属ニッケル触媒を介在させるという簡単な方法で、効果的な改質反応を導く方法であるから、複雑な方法、装置を頼ることなく、冶金炉の操業変動にも素早く対応することができる方法および装置を提供することができる。
（３）本発明では、改質反応のために、還元剤として、現在あるいは将来にわたって安定供給される物質を用いる方法、装置であるから経済的である。
【発明を実施するための最良の形態】
【００２１】
本発明は、カーボンや非燃焼成分などが煙道内に堆積するようなことがなく、炭酸ガス改質反応を完全に進行させして、排ガスの増熱と炭酸ガスの排出量削減とを効率的に達成するための、高温排ガスの改質方法を提案する。具体的には、冶金炉（以下、「転炉」の例で述べる）から排出される高温排ガス（以下、「オフガス」という）が通過する煙道の内壁部表面に、溶射等の方法で金属ニッケルを、例えば溶射して被覆したものを用いると共に、このような環境下において、前記オフガス中に還元剤を添加する方法である。このような構成にすることにより、金属ニッケルの触媒作用により、たとえ改質反応時の温度が８００℃以下の温度になったとしても、カーボンの析出や非燃焼成分の発生を抑制することができ、オフガスの増熱をひいては効率的に図ることができる排ガスの改質方法を提案するものである。
【００２２】
転炉から排出されるオフガスというのは、通常、１０〜２０容積％程度のＣＯ２と５０〜８０容積％程度のＣＯを含有し、発熱量が１５００〜２０００ｋｃａｌ／Ｎｍ３程度、操業中の炉口部における温度は１２００〜１８００℃程度である。本発明では、この転炉オフガスが通過する煙道内の内壁面に、金属ニッケルを予め被覆しておくことが特徴的な構成である。
【００２３】
そして、転炉の操業中に、前記煙道内を通過するオフガスに対し、転炉の上吹きランス部や転炉排ガス回収設備におけるスカート部から輻射部の１次集塵機の上流側までの間の、１〜複数個所から天然ガス等の還元剤を添加し、その還元剤と炭酸ガスとによる上記（１）式の改質反応を起こさせる。この時、オフガスの温度は転炉の操業状況により変化する他、還元剤とオフガス中の炭酸ガスとの反応によっても温度が低下する。このとき、オフガス温度が８００℃以上であれば、還元剤とオフガス中の炭酸ガスとの反応が優先的に起こる。しかし、そのオフガス温度が転炉等の操業要因により低下した場合や還元剤とオフガス中の炭酸ガスとの反応により８００℃未満に低下するような場合、炭酸ガスと還元剤の気相における反応およびカーボン析出反応の反応速度が低下する。
【００２４】
しかしながら、本発明方法を採用した場合は、上述したように、オフガスが通過する煙道内の内壁面に金属ニッケルが被覆されているので、該金属ニッケルのもつ触媒作用により、反応温度が８００℃未満になる条件においても６００℃以上であれば還元剤とオフガス中炭酸ガスとの反応速度の低下を抑制することができる。その結果、オフガスは、増熱され、例えば、製鉄所内の各種熱源として使われる（燃焼させる）ため、最終的には炭酸ガスを排出することになるものの、製鉄所内で用いられる重油等の補助燃料を、増熱分相当量だけ削減することができ、その分の炭酸ガスが削減できることになる。
【００２５】
図１は、本発明にかかる排ガス改質方法を説明するための転炉の排ガス回収設備の略線図である。この図に示すように、転炉１から発生するオフガスは、スカート２、下部フード３、上部フード４、１次集塵機（湿式集塵機）５、２次集塵機１３等を経て排出される間に、この２次集塵機１３の出側に配設したガス分析計６にて連続的または半連続的に、あるいは間欠的に酸素濃度が計測される。なお、該オフガス中の酸素濃度が１容積％より多いときは、改質反応用還元剤の添加（注入）量を制御する制御弁７を閉とすると同時に、ガス流路切替弁８を閉にし、該オフガスがフレア９側に流れるようにする。
なお、本発明において、煙道とは、下部フード３から一次集塵機５までの間の内部空間を指す。
【００２６】
ガス分析計６の形式はとくに限定しないが、酸素濃度の他、炭酸ガス濃度（流量）やオフガス流量の計測もできるものが好ましい。このガス分析計６の計測値からは、炭酸ガスの流量を求めることができ、ひいては改質反応用還元剤の注入量を決定することができるようになる。
【００２７】
例えば、酸素濃度が１容積％以下まで低下すれば、温度計１０で計測されるオフガス温度が８００℃未満であっても、６００℃以上であればガス流路切替弁８を開にし、オフガスがガスホルダー（図示せず）側に流れるようにすると同時に、流量制御弁７を開として、酸素上吹きランス１１の側管から改質反応用還元剤の添加を行う。そして、ガス分析計６によって、改質後のオフガスの組成を連続的に計測し、この計測値に応じて、還元剤の注入量および／または、添加（注入）位置を制御する。
【００２８】
なお、還元剤の添加位置は、前記ガス滞留時間ならびに添加位置におけるオフガスの温度を考慮して決定することが好ましい。例えば、ガス滞留時間が、前述したように、０．０１〜５０秒、好ましくは０．１〜２０秒の場合、還元剤の添加位置は、オフガス温度ができるだけ高い温度となる位置とすることが好ましい。図１は、還元剤を酸素上吹きランスの側管から注入する例である。その他、その添加位置としては、スカート２、上部フード４や下部フード３の上部などにノズルを設置して、還元剤の添加を行ってもよい。
【００２９】
とくに、転炉オフガス中の炭酸ガス量が比較的少ない場合などでは、反応時間が短くてよいので、下部フード３よりもさらに上部での位置で還元剤の添加を行なってもよい。また、その添加位置は１箇所だけに限らず、複数個所としてもよく、例えば、ランス１１の側管と下部フード３の上部の２個所で行うようにしてもよい。
【００３０】
次に、本発明で用いることのできる還元剤としては、天然ガスや液化石油ガス、メタン、エタン、軽質ナフサ、ラフィネート、メタノール、エタノール、ジメチルエーテル、ジエチルエーテルなどから選ばれる物質の少なくとも１つの化石資源系化合物を用いることが好ましい。中でも天然ガスやプロパンガス、軽質ナフサ、ラフィネート、ジメチルエーテルは、炭酸ガスとの反応性がよく、安価で大量の入手も容易であることから好ましい。
【００３１】
また、この還元剤としては、上記化石資源系化合物と共に、またはそれに代えて非化石資源系有機化合物を用いてもよい。非化石資源系有機化合物を用いると、炭酸ガス改質反応によってオフガスが増熱される分に加え、カーボンニュートラルな還元剤によって改質反応を行うため、炭酸ガス排出削減に大きく貢献できる点において特に好ましい。この非化石資源系有機化合物としては、バイオエタノール、バイオディーゼル、またはこれらの混合物を挙げることができる。
【００３２】
なお、天然ガスやメタンのように、室温で気体である還元剤を用いる場合、ガス吹き込みに適したノズルを用いればよく、ノズル形状やノズルの本数にとくに制約はない。また、ラフィネート、バイオエタノール、バイオディーゼルのように、室温で液体の還元剤の場合は、これをミスト状に噴霧して注入してもよく、気化させた後、気体で注入してもよい。ミスト状で供給する場合、その液滴径は、炭酸ガスとの接触が効率的であればよく、好ましくは０．０１〜１０００μｍ、より好ましくは０．１〜１００μｍである。
【００３３】
さらに、液化石油ガスやジメチルエーテルのような液化ガス、または非化石資源系有機化合物の液化ガスを還元剤とする場合は、事前に気化させて気体として注入してもよく、液体で供給しノズル近傍、あるいはノズル内で気化させて供給してもよい。この場合、ノズル近傍、あるいはノズル内で気化させる場合、気化熱によってノズルが冷却されるため、ノズルの保護の点からは好ましい。
【００３４】
上述したオフガス改質方法の実施に当たって、本発明では、オフガス中に含まれる炭酸ガスと還元剤とによる改質反応を促進する改質装置として、排ガス回収設備中に、オフガス中の酸素濃度を計測する濃度計測装置と、その濃度計測装置からの出力に基づく改質オフガス中の酸素濃度に応じて、即ち、酸素濃度が１容積％より多いか少ないかに応じて排ガス管路の流路切替を行う流路切替装置と、そして、改質反応によって増熱された改質オフガスの温度を計測する温度計測装置と、そして、該温度計測装置からの出力および濃度計測装置の出力によって作動する還元剤の添加（注入）量を制御する流量制御装置を配設すると共に、該流量制御装置の作動によって制御される還元剤を、所定の位置、例えば、上記上吹きランスの側管部あるいはスカート等に配設したノズルから、オフガス中に添加するための還元剤吹込み装置とを設けてなる冶金炉発生排ガスの改質装置を用いることができる。
【００３５】
前記濃度計測装置としては、２次集塵機、例えば、第２ダストキャッチャー１３の下流側管路内に配設したガス分析計６が用いられ、前記流路切替装置としては、ガス分析計６の酸素濃度値の出力によって開閉制御されるガス流路切替弁８をフレア９への流路とガスホルダー（図示せず）への流路のいずれかが選択できるように、それらとの分岐部分に配設したものが用いることができる。そして、前記温度計測装置は、一次集塵機５の入側に当たる排ダクトの輻射部との境界部分に配設された温度計１０によって構成されたものを用いる。なお、前記排ガス回収設備中の２次集塵機１３の下流側にオフガスの流量を測定するガス流量計１５を設けておくことが好ましい。
【００３６】
図１は、上記改質装置の制御系を点線で示す。この図においては、還元剤供給のための流量制御弁７は１個だけであり、それを酸素濃度測定用ガス分析計６、ガス流量計１５および温度計測用温度計１０から選ばれる一以上の出力によって制御するようにしているが、演算装置１２を介して図示していない２個の制御弁を使って別々に制御するようにしてもよいし、ガス分析計６の出力でガス流路切替弁８を制御すると同時にこの切替弁の下流側に、さらに別の制御弁を設置し、前記温度計１０の出力によって制御するようにしてもよい。
【実施例】
【００３７】
（実施例１）
この実施例は、３００ｔ上吹き転炉１を用い、上部フードからオフガス中に天然ガスを添加する試験を行った例である。天然ガスを吹き込む上部フード４から１次集塵機５の冷却水との合流部までの煙道内内壁面に金属ニッケルを溶射し、厚み
０．１ｍｍ程度の金属ニッケル被覆層１４を被覆形成した。天然ガスを吹込んでいない時のオフガスは流量７９，０００Ｎｍ３／ｈ、ガス組成はＣＯ：５０容積％、ＣＯ２：１５容積％、Ｈ２：１容積％、Ｎ２：３４容積％であったので、ＣＯ２を１１８５０Ｎｍ３／ｈ排出していた。
【００３８】
添加した天然ガスは、ＣＯ２流量と等しい１１，８５０Ｎｍ３／ｈとした。この天然ガスのＣＨ４含有率が９２容積％であったので、ＣＯ２とＣＨ４のモル比は略１：１に近似できる。なお、転炉炉口付近のオフガス温度は約１，７００℃であった。
【００３９】
そして、オフガスの流量計１５とガス分析計６を２次集塵機（ダストキャッチャー）の下流側に、温度計を一次集塵機（湿式集塵機）の上流側に設置し、オフガスの酸素濃度と改質したオフガス温度によって、天然ガスの添加量を制御できるようにした。吹錬開始後、酸素濃度が１容積％以下になったところで天然ガスの添加を開始し、改質したオフガスの温度、流量、組成をモニターした。その結果、オフガスは、温度９８０℃、流量１１４，４００Ｎｍ３／ｈ、組成は、ＣＯ：容積５５％、ＣＯ２：０．１容積％、Ｈ２：２１容積％、Ｎ２：２３．５容積％、ＣＨ４：０．１容積％、Ｏ２：０．１容積％未満であった。
その後、転炉炉口付近のオフガスの温度が１，３５０℃まで低下し、改質したオフガスの温度は６３０℃まで低下したが、オフガスの流量、組成にはほぼ変化はなかった。
吹錬終了後、煙道内を観察したところ、カーボンなどのダストの生成や堆積は認められず、何ら問題なくオフガスの改質ができた。
【００４０】
また、改質前のオフガスの燃焼熱は１，５３７ｋｃａｌ／Ｎｍ３であったが、改質後では２，２２０ｋｃａｌ／Ｎｍ３と、オフガス体積規準で４４％増熱されていた。オフガス流量も１．４５倍になっているため、増熱量は非常に大きいことがわかった。ただし、ここには還元剤として添加した天然ガスの熱量が含まれているため、それを除いた真の増熱率は２９％となった。
【００４１】
（比較例１）
煙道内内壁面に金属ニッケルを溶射していないこと以外は、実施例１と同様にして還元剤の添加試験を行った。吹錬の途中で転炉炉口のオフガス温度が１，３５０℃に低下し、改質後のオフガスは、温度：６８０℃、組成は、ＣＯ：５２容積％、ＣＯ２：４容積％、Ｈ２：１５容積％、Ｎ２：２５容積％、ＣＨ４：４容積％、Ｏ２：０．１容積％未満と、ＣＯ２が４容積％もリークしていた。さらに、カーボンが約４重量％生成し、煙道に堆積していた。
【産業上の利用可能性】
【００４２】
本発明は、転炉の排ガスだけでなく、多量の炭酸ガスを含む高温のガスが排出される溶融還元炉や非鉄精錬で用いられる各種の炉などの冶金炉の排ガス改質技術として有用である。
【図面の簡単な説明】
【００４３】
【図１】本発明を説明するための、転炉排ガス回収設備の略線図である。
【符号の説明】
【００４４】
１  転炉
２  スカート
３  下部フード
４  上部フード
５  １次集塵機
６  ガス分析計
７  制御弁
８  ガス流路切替弁
９  フレア
１０  温度計
１１  酸素上吹きランス
１２  演算装置
１３  ２次集塵機
１４  金属ニッケル被覆層
１５  ガス流量計
Ｐ  煙道
【図１】
2010144188.tif 000003